(57)【要約】【課題】長さが異なる多数のヘアウェーブ用毛巻ロッドを準備する必要を無くし、ロッドの保管スペースと購入コストの削減を図る。【解決手段】ロッド１の両端部に雄形接続部２ａと雌形接続部２ｂを設け、複数のロッド１の雄形接続部２ａと雌形接続部２ｂを嵌合させて接続出来るようにする。また、雄形接続部２ａと雌形接続部２ｂをネジ式で接続出来るようにしても良く、専用の接続具１０を使用して接続出来るようにしても良い。更に、接続されるロッド１端部の中空部に嵌合する一回りサイズの小さいロッド１ｓを使用して接続出来るようにしても良い。【選択図】      図２
2004305238.tif 000002
【特許請求の範囲】
【請求項１】
複数のロッドを軸方向に接続するための接続手段を備えたことを特徴とするヘアウェーブ用毛巻ロッド。
【請求項２】
前記接続手段は、各ロッドの両端部に一体に設けられる接続構造であることを特徴とする請求項１に記載のヘアウェーブ用毛巻ロッド。
【請求項３】
前記接続手段は、ロッドとは別体の専用の接続具であることを特徴とする請求項１に記載のヘアウェーブ用毛巻ロッド。
【請求項４】
前記接続手段は、接続されるロッド端部の中空部に嵌合する一回りサイズの小さいロッドであることを特徴とするヘアウェーブ用毛巻ロッド。
【発明の詳細な説明】
【０００１】
【発明の属する技術分野】
本発明は、髪の毛にパーマネント等をかける際に使用するヘアウェーブ用の毛巻ロッドに関する。
【０００２】
【従来の技術】
従来、髪の毛にパーマネント等をかける際に毛髪を巻き付けておく毛巻ロッドには、巻き付ける髪の長さやウェーブのかけかた等によって、長さや径が異なる各種のロッドが使用されており、このため、美容院や理容院などには各種サイズや各種径の大量のロッドを準備しておく必要があり、多大な保管スペースと購入コストがかかるという問題があった。
このため、各種ロッドを低コストで製造出来るようにし、耐久性に富んだロッドを提供するため、例えば、硬質プラスチック製の薄いシートをロール状に巻回し、重ね合わせた箇所を固着して円筒状のロッドを作製するような技術が知られている。（例えば、特許文献１参照。）
【０００３】
【特許文献１】
実用新案登録第３０９１７６２号公報
【０００４】
【発明が解決しようとする課題】
ところが、上記のような技術においては、ロッドを安価に且つ簡易に製造出来るという利点はあるものの、大量のロッドを保管し準備しておかなければならないという問題は解決できなかった。
【０００５】
そこで本発明は、長さが異なる多量のロッドを準備しなくても長さを異ならせて使用できるようにし、また、ロッドの保管スペースを削減できるようにすることを目的とする。
【０００６】
【課題を解決するための手段】
上記目的を達成するため本発明は、複数のロッドを軸方向に接続するための接続手段を備えたヘアウェーブ用毛巻ロッドを設けた。
【０００７】
そして、巻き付ける毛髪が長い場合は、複数のロッドを接続して長くして使用するようにすることで、長いサイズのロッドと短いサイズのロッドを別個に準備しなくても、短いサイズのロッドだけを準備しておけば良い。
このため、ロッドの保有数を減らすことが可能となり、購入コストの削減が図られるとともに、保管スペースの削減も可能となる。
尚、ここで本発明でいう毛巻ロッドとしては、ゴム止め式の毛巻具のみならず、いわゆるカーラーと呼ばれる毛巻具でゴム止め式以外のもの、あるいは電気式のもの、または電気式以外のものも含まれる。
【０００８】
また本発明においては、前記接続手段として、各ロッドの両端部に一体に設けられる接続構造とした。
このようにロッドの両端部に一体に接続構造を設けるようにすれば、関連部品点数が削減されて保管スペースの一層の削減が図られる。
ここで、具体的な接続構造としては任意であるが、例えば嵌合方式、あるいはネジ方式等が適用可能であり、お互いに軸回りに回転不能で且つ接続が容易に外れないように出来れば好適である。
【０００９】
また本発明では、前記接続手段として、ロッドとは別体の専用の接続具とした。
この際、接続具の接続構造も任意であり、嵌合方式や捩じ込み式等が適用可能であるが、接続具をロッドより小型化すれば、保管スペースの節約が図られる。
【００１０】
また本発明では、前記接続手段として、接続されるロッド端部の中空部に嵌合する一回りサイズの小さいロッドであるようにした。
このように、一回りサイズの小さいロッドを使用し、このロッドの一端側を、接続される一方側のロッド端部の中空部に差し込むとともに、このロッドの他端側を、接続される他方側のロッド端部の中空部に差し込んで接続する。このため、一回りサイズの小さいロッドは、接続されるロッド端部の中空部に密着状に嵌合出来るようにしておけば好適である。
因みに、通常のロッドは、例えば径が１ｍｍ程度の細かいサイズ刻みのものが多数準備されているため、ロッド作製時に、サイズの小さいロッドの外径を、サイズの大きいロッドの中空部の内径に一致させておけば好適である。
【００１１】
【発明の実施の形態】
本発明の実施の形態について添付した図面に基づき説明する。
ここで図１は本発明に係るロッドにおいて、ロッド端部に接続構造を一体的に設けた場合の全体図、図２は同ロッド端部の接続構造を示す拡大図、図３はロッド端部の接続構造をネジ式にした場合の構成例図、図３は専用の接続具を使用する場合の説明図、図５は一回りサイズの小さいロッドを使用して接続する場合の構成例図である。
【００１２】
本発明に係るヘアウェーブ用毛巻ロッドは、長さが異なる多数のロッドを準備しなくても長さを異ならせて使用することが出来、また、ロッドの保管スペースを削減できるようにされ、複数のロッドを軸方向に接続するための接続手段を備えていることを特徴としている。
【００１３】
すなわち、ロッドに巻き付けられる毛髪が短い時は、短いロッドを使用すれば良いのであるが、ロッドに巻き付けられる毛髪が長いときは、長さの長いロッドを使用して、毛髪を螺旋状に巻き付ける必要があるため、従来では、同じ径のロッドでも、長さの短いロッドから、長さが中間のロッドから、長さの長いロッドなどを数多く準備しておく必要があり、また、径も１ｍｍ程度の細かいサイズ刻みとされているため、全体として非常に多くのロッドを準備する必要があった。このため、ロッドの保管スペースも大きなスペースを必要としていた。
【００１４】
そこで本発明では、一定の長さのロッドだけを準備しておき、ロッドに巻き付けられる毛髪が長いときは、複数のロッドを軸方向に接続して長さを延長できるようにし、ロッドの購入コストの削減や、保管スペースの削減を図るようにしたものである。
【００１５】
ここで、図１、図２は本発明に係るヘアウェーブ用毛巻ロッド１の第１実施例を示すものであり、例えばプラスチック製等の中空筒状のロッド１の両端部には、雄雌嵌合方式による接続構造である雄形接続部２ａと雌形接続部２ｂが設けられている。
【００１６】
そして、雄形接続部２ａは、雌形接続部２ｂの筒部３内に嵌合することの出来る小径筒部４と、雌形接続部２ｂの輪ゴム通し用の切込み部５に嵌合することの出来る嵌合突起部６を備えており、小径筒部４の外面には、嵌合突起部６を挟み込むような格好で円周方向に沿ってリブ７が突設されるとともに、雌形接続部２ｂの筒部３内には、このリブ７が嵌合可能な溝８が設けられている。
また、雄形接続部２ａの小径筒部４にも、輪ゴム通し用の切込み部９が円周方向に沿って所定間隔置きに設けられている。
【００１７】
以上のようなロッド１を単体で使用する場合、通常の手順に従って毛髪をペーパー等を介して巻き付けた後、任意の切込み部５、９に輪ゴムを通して毛髪を固定する。
また、巻き付ける毛髪が長いときは、複数のロッド１を接続する。すなわち、雄形接続部２ａの嵌合突起部６を雌形接続部２ｂの切込み部５に嵌合させつつ、雌形接続部２ｂの筒部３内に小径筒部４を嵌合させ、溝８にリブ７を弾性的に嵌合させることによって、両者は軸周りに回転不能に且つ抜脱不能に接続され、長い状態にされる。
【００１８】
そして、通常の手順に従って、毛髪をペーパー等を介して螺旋状に巻き付け、最後に両端の切込み部５、９に輪ゴムを通して毛髪を固定すれば、長い髪を巻き付けるときでも対応出来る。
そしてこのような接続手順は極めて簡単であり、時間を要さない。
【００１９】
次ぎに、図３に基づいてロッド１端部の接続構造を異ならせた第２実施例について説明する。
この実施例では、雄形接続部２ａの小径筒部４にネジ山１１を設けるとともに、雌形接続部２ｂの筒部３内にネジ溝１２を設け、ネジ山１１とねじ溝１２を螺合させることにより接続するようにした構成例であり、この場合も、前記例と同様に、簡単な手順で接続することが出来る。
【００２０】
ところで、以上の第１実施例、第２実施例は、いずれもロッド１の端部に接続構造を一体的に設けた構成例であるが、次ぎに、図４に基づき、専用の接続具を使用する第３実施例について説明する。
【００２１】
すなわち、図４に示すように、この専用の接続具１３は、各ロッド１端部の中空部に差し込み可能とされ、図４（ｂ）に示すように、各ロッド１の端部に密着状に嵌合させることにより、軸回りに回転不能に且つ容易に抜け出さないで接続できるようにされている。
そしてこのような専用の接続具１３をロッド１より小型化することによって、保管スペースが節約できるようにされている。
【００２２】
次ぎに、図５に基づき第４実施例を説明する。
この実施例では、接続するロッド１端部の中空部に密着状に嵌合可能な一回りサイズの小さいロッド１ｓを使用するようにしている。
そして、必要に応じて、接続されるロッド１の中空内部に、図５（ｂ）に示すようなストッパ片１４を設けておき、接続用のロッド１ｓがこれ以上入り込まないようにしておく。
【００２３】
そして、この第４実施例の場合も、接続用のロッド１ｓは、それ自体を独自に毛巻用ロッドとして使用することが出来るため便利である。
尚、このような接続用のロッド１ｓとして使用する場合は、ロッドの形態をストレートな直筒形状にすることが好ましい。
【００２４】
尚、本発明は以上のような実施形態に限定されるものではない。本発明の特許請求の範囲に記載した事項と実質的に同一の構成を有し、同一の作用効果を奏するものは本発明の技術的範囲に属する。
例えば具体的な接続構造等は例示であり、また、ロッド１、１ｓの表面に多数の穴や凹凸を形成するようにしても良い。
【００２５】
【発明の効果】
以上のように本発明に係るヘアウェーブ用毛巻ロッドは、複数のロッドを軸方向に接続するための接続手段を備えたヘアウェーブ用毛巻ロッドを設けたため、長さの異なるロッドを多数準備しなくても良くなり、購入コストの削減が図られるとともに、保管スペースの削減も可能となる。
この際、接続手段として、各ロッドの両端部に接続構造を一体的に設ければ、関連部品点数が削減されて保管スペースの一層の削減が図られる。
また接続手段として、ロッドとは別体の専用の接続具を設けるようにしても保管スペースの節約が図られ、また、接続手段として、接続されるロッド端部の中空部に嵌合する一回りサイズの小さいロッドを使用するようにすれば、ロッドの兼用が可能であり、この場合も購入コストの削減や、保管スペースの削減が図られる。
【図面の簡単な説明】
【図１】ロッド端部に接続構造を一体的に設けた場合の全体図
【図２】同ロッド端部の接続構造を示す拡大図
【図３】ロッド端部の接続構造をネジ式にした場合の構成例図
【図４】専用の接続具を使用する場合の説明図
【図５】一回りサイズの小さいロッドを使用して接続する場合の構成例図
【符号の説明】
１…ロッド、１ｓ…一回りサイズの小さいロッド、２ａ…雄形接続部、２ｂ…雌形接続部、３…筒部、４…小径筒部、１３…接続具。
【図１】
2004305238.tif 000003
【図２】
2004305238.tif 000004
【図３】
2004305238.tif 000005
【図４】
2004305238.tif 000006
【図５】
2004305238.tif 000007